【事件の表示】
　特許第３４４６８９０号「蓄熱暖房器」の請求項１、２に係る特許に対する特許異議の申立てについて、次のとおり決定する。
【結　論】
　訂正を認める。
　特許第３４４６８９０号の請求項１に係る特許を取り消す。
　同請求項２に係る特許を維持する。
【理　由】
第１　手続の経緯
　
　特許第３４４６８９０号（以下「本件特許」という。）に係る発明は、平成１２年１０月１３日に特許出願され、平成１５年７月４日に特許権の設定登録（同年９月１６日に特許掲載公報発行）がなされたところ、同年１２月２５日に中筋三城子から特許異議の申立てがなされ、当審から平成１６年９月２７日付けの取消理由通知が送付（同年１０月８日発送）され、同年１２月７日付けで、訂正請求書（この訂正請求書の内容を、以下「本件訂正」という。）及び特許異議意見書が提出されたものである。
　
第２　本件訂正の適否について
　
１．本件訂正の内容
　
　本件訂正は、願書に添付した明細書について、下記の事項を訂正しようとするものである。
　
・訂正事項ａ：特許請求の範囲請求項１の記載を、次のように訂正する。
「深夜電力時間内に深夜電力を用いてヒータの通電により蓄熱ブロックを加熱し、この蓄熱ブロックの蓄熱量を消費することで暖房する蓄熱暖房器であって、深夜電力時間外で暖房に必要とされる蓄熱量が不足した場合に、通常電力を用いて蓄熱ブロックを加熱する蓄熱増し機能を有し、蓄熱増し機能は蓄熱増し機能を開始させるための操作部とヒータへの通電を制御する制御部とが備えられ、暖房に必要とされる蓄熱量が不足した場合における操作部のオン操作により蓄熱増し機能を開始した時刻が制御部で計測され、深夜電力時間外であることが判断されるとヒータが通電され蓄熱ブロックの加熱が開始されて蓄熱量が上昇し、かつファンによる強制放熱もしくは自然放熱によって暖房が行われ、開始から所定時間の経過後の自動解除または上記所定時間の経過前の操作部のオフ操作であることが判断されるとヒータへの通電が停止され蓄熱ブロックの加熱が停止する２通りの停止手段を備えたことを特徴とする蓄熱暖房器。」
　
・訂正事項ｂ：特許請求の範囲請求項２の記載を、次のように訂正する。
「深夜電力時間内に深夜電力を用いてヒータの通電により蓄熱ブロックを加熱し、この蓄熱ブロックの蓄熱量を消費することで暖房する蓄熱暖房器であって、深夜電力終了時間に蓄熱される蓄熱量は、深夜電力開始時間以降の相異なる時刻から始まり時刻ｔに対して昇温し深夜電力終了時間近傍で上限値となる複数の昇温パターンが段階的に設定され、複数の昇温パターンから希望する昇温パターンが選択されると、時刻ｔにおける選択された昇温パターンの温度Ｐ（ｔ）と時刻ｔにおける蓄熱ブロックの温度Ｍ（ｔ）とを比較し、Ｐ（ｔ）≧Ｍ（ｔ）でヒータを通電させ、選択された昇温パターンに沿って昇温することを特徴とする蓄熱暖房器。」
　
・訂正事項ｃ：発明の詳細な説明の段落【００１０】の記載を特許請求の範囲請求項１の記載と整合するように訂正する。
　
・訂正事項ｄ：発明の詳細な説明の段落【００１２】の記載を特許請求の範囲請求項２の記載と整合するように訂正する。
　
・訂正事項ｅ：発明の詳細な説明の段落【００３５】の記載を特許請求の範囲請求項２の記載と整合するように訂正する。
　
・訂正事項ｆ：発明の詳細な説明の段落【００４２】の記載を特許請求の範囲請求項１の記載と整合するように訂正する。
　
・訂正事項ｇ：発明の詳細な説明の段落【００４３】の記載を特許請求の範囲請求項２の記載と整合するように訂正する。
　
２．本件訂正の目的の適否、新規事項の有無及び拡張・変更の存否
　
　訂正事項ａのうち、特許請求の範囲請求項１の「暖房可能な最低限の蓄熱量を下回った場合」の記載を「暖房に必要とされる蓄熱量が不足した場合」と訂正した点は、その記載から意図する内容が不明瞭である、「暖房可能な最低限の蓄熱量を下回った場合」の記載を、明細書の段落【００１７】の記載に基づき「暖房に必要とされる蓄熱量が不足した場合」と訂正し、意図する内容を明確にしたものであるから、明瞭でない記載の釈明を目的とする訂正に該当する。
　
  訂正事項ａのうち、特許請求の範囲請求項１に「て蓄熱量が上昇し、かつファンによる強制放熱もしくは自然放熱によって暖房が行われ」の記載を加入した点は、明細書の段落【００２０】の記載に基づき特許請求の範囲請求項１の記載を限定するものであるから、特許請求の範囲の減縮を目的とする訂正に該当する。
　
　訂正事項ｂは、特許請求の範囲請求項２の「複数の昇温パターン」を、図７の記載に基づき「深夜電力開始時間以降の相異なる時刻から始まり」という構成で限定するものであるから、特許請求の範囲の減縮を目的とする訂正に該当する。
　
　訂正事項ｃないしｇは、上記訂正事項ａ及びｂに係る特許請求の範囲の訂正と整合させるため、発明の詳細な説明の記載を訂正するものであるから、いずれも明瞭でない記載の釈明を目的とする訂正に該当する。
　
　そして、これらの訂正事項による技術的事項は、願書に添付された明細書（特許時の明細書）に実質的に記載されている事項の範囲内のものであり、実質的に特許請求の範囲を拡張又は変更するものではない。
　
３．むすび
　
　以上のとおりであるから、本件訂正は、特許法第１２０条の４第２項並びに同条第３項で準用する同法第１２６条第２項及び第３項の規定に該当するので、これを認容する。
　
第３　特許異議の申立てについて　
　
１．本件発明
　
　上記第２において本件訂正が認められた結果、本件の特許請求の範囲請求項１及び２に係る発明は、次のとおりのものである。
　
【請求項１】深夜電力時間内に深夜電力を用いてヒータの通電により蓄熱ブロックを加熱し、この蓄熱ブロックの蓄熱量を消費することで暖房する蓄熱暖房器であって、深夜電力時間外で暖房に必要とされる蓄熱量が不足した場合に、通常電力を用いて蓄熱ブロックを加熱する蓄熱増し機能を有し、蓄熱増し機能は蓄熱増し機能を開始させるための操作部とヒータへの通電を制御する制御部とが備えられ、暖房に必要とされる蓄熱量が不足した場合における操作部のオン操作により蓄熱増し機能を開始した時刻が制御部で計測され、深夜電力時間外であることが判断されるとヒータが通電され蓄熱ブロックの加熱が開始されて蓄熱量が上昇し、かつファンによる強制放熱もしくは自然放熱によって暖房が行われ、開始から所定時間の経過後の自動解除または上記所定時間の経過前の操作部のオフ操作であることが判断されるとヒータへの通電が停止され蓄熱ブロックの加熱が停止する２通りの停止手段を備えたことを特徴とする蓄熱暖房器。
【請求項２】深夜電力時間内に深夜電力を用いてヒータの通電により蓄熱ブロックを加熱し、この蓄熱ブロックの蓄熱量を消費することで暖房する蓄熱暖房器であって、深夜電力終了時間に蓄熱される蓄熱量は、深夜電力開始時間以降の相異なる時刻から始まり時刻ｔに対して昇温し深夜電力終了時間近傍で上限値となる複数の昇温パターンが段階的に設定され、複数の昇温パターンから希望する昇温パターンが選択されると、時刻ｔにおける選択された昇温パターンの温度Ｐ（ｔ）と時刻ｔにおける蓄熱ブロックの温度Ｍ（ｔ）とを比較し、Ｐ（ｔ）≧Ｍ（ｔ）でヒータを通電させ、選択された昇温パターンに沿って昇温することを特徴とする蓄熱暖房器。
　
　以下、上記請求項１及び２記載の発明を、それぞれ「本件発明１」及び「本件発明２」といい、両者をまとめて「本件発明」という。
　
２．特許異議の申立て理由の概要
　
（１）本件発明１は、甲第１号証に記載された発明であるから、特許法第２９条第１項第３号の規定に違反してなされたものである。
　また、本件発明１は、甲第１号証に記載された発明から容易に発明できたものであるから、特許法第２９条第２項の規定に違反してなされたものである。
　さらに、本件発明２は、甲第１号証及び甲第２号証記載のものから当業者が容易に発明できたものであるから、特許法第２９条第２項の規定に違反してなされたものである。
　したがって、本件発明は、特許法第１１３条第２号の規定により取消されるべきものである。
　
（２）本件発明１は、特許法第３６条第４項及び第６項第２号に規定された要件を満たしていない。
　したがって、本件発明１は、特許法第１１３条第４号の規定により取り消されるべきものである。
　
［証拠方法］
甲第１号証：平成５年９月、株式会社白山製作所発行「蓄熱式電気暖房機”アルデイ”取扱説明書」
甲第２号証：特開平６−５８６３０号公報
　
３．本件発明１についての検討
　
（１）甲第１号証に記載された事項
　
 　甲第１号証は、本件発明の出願前に国内において頒布された、特許権者である株式会社白山製作所発行の「蓄熱式電気暖房機”アルデイ”の取扱説明書」であって、次の記載がある。
　なお、甲第１号証が本願出願前に頒布されたことは、特許権者も認めている（平成１６年９月２４日期日の口頭審理調書参照。）
　
ア）「各電力会社では、夜間の電力使用量をふやし電力負荷の平準化を図るために深夜電力の割引制度を実施しています。
　”アルデイ”は、深夜１１時から翌朝７時までの８時間のこの割安な深夜電力を利用して、蓄熱ブロックにたっぷり熱を蓄え、昼間必要に応じてこの熱を少しずつ取り出して効率よく暖房する経済性と省力化を考えた蓄熱式電気暖房機です。」（１頁２〜６行）
　
イ）「（２）蓄熱量の選び方
　ａ）運転を押して運転表示ランプを点灯してください。
　ｂ）蓄熱量セットを押して、大・中・小・切のいずれかを蓄熱量表示ランプで選択します。（「切る」の場合は点灯しません）
・・・中略・・・
運転を切っても蓄熱量が「大」「中」「小」にセットされていれば、自動的に蓄熱されます。」（６頁５〜１５行）
　
ウ）「（６）追い焚き暖房のしかた
　追い焚き暖房には、追い焚きヒーターを取り付ける方法とメインヒーターによる方法の２つの方法があります。蓄熱量が減少し暖房出力が低下した場合に効果を発揮します。
　(1)追い焚きヒーターによる方法
　別売品の追い焚きヒーター（ＡＣ１００Ｖ）を温風吹出口に取り付け追い焚き暖房を行います。
　　ａ．運転を押して運転表示ランプを点灯してください。
　　ｂ．分／低温を押しながら設定を押します。
　　ｃ．「追い焚き」表示ランプが点灯します。
　　ｄ．停止したい場合は分／低温を押しながら設定を押して「追い焚き」　　　　表示ランプを消灯させます。
　　　　・・・中略・・・
　(2)メインヒータによる方法
　時間帯別電灯契約の終日通電方式（Ａ・Ｂ方式）のお客様は、メインヒータ（ＡＣ２００Ｖ）により追い焚き暖房を行います。（なお、別売品の追い焚きヒーターを取り　付けることも出来ます。この場合はどちらか一つの選択になります。）
運転方法は「追い焚きヒーターによる方法」と同じです。
但し、蓄熱量が「小」以下（蓄熱量表示ランプ消灯）になった場合のみご使用いただけます。ご使用いただける時間帯は朝７時から深夜１１までの深夜電力時間帯以外の１６時間です。
消し忘れを防止するため３時間経過した後アラームを発し停止します。連続使用する場合はセットし直してください。」（１０頁７行〜１１頁１０行）
　
（２）甲第１号証記載の発明
　
  甲第１号証の上記ア）及びウ）の記載を参酌すれば、甲第１号証には次の発明が開示されているものと認められる。
　
「深夜電力時間内に深夜電力を用いてヒータの通電により蓄熱ブロックを加熱し、この蓄熱ブロックの蓄熱量を消費することで暖房する蓄熱暖房機であって、深夜電力時間外で蓄熱量が「小」以下（蓄熱量表示ランプ消灯）になった場合に、通常電力を用いて蓄熱ブロックを加熱する追い焚き機能を有し、追い焚き機能は追い焚き機能を開始するための操作部とヒータへの通電を制御する制御部とが備えられ、「小」以下（蓄熱量表示ランプ消灯）になった場合における操作部のオン操作によりヒータが通電され蓄熱ブロックの加熱が開始し、開始から所定時間の経過後の自動解除または上記所定時間の経過前の操作部のオフ操作であることが判断されるとヒータへの通電が停止され蓄熱ブロックの加熱が停止する２通りの停止手段を備えたことを特徴とする蓄熱暖房器。」
　
（３）一致点・相違点
　
　甲第１号証記載の「追い焚き」とは、上記ウ）(2)の記載によれば、メインヒータにより暖房を行うことであるが、甲第１号証３頁記載の図面を参酌すれば、その構造上、甲第１号証記載の蓄熱暖房器において、メインヒータにより暖房を行うことは、蓄熱体の蓄熱量を上昇させること、すなわち、「蓄熱増し」すること、であることは明らかである。
　そして、「追い焚き」という以上は、その文言上、ファンによる強制放熱もしくは自然放熱によって暖房が行うことを意味することもまた明らかである。
　してみると、本件発明１と甲第１号証記載の発明を対比すると、両者は、次の一致点及び相違点を有する。　
　
【一致点】
 　深夜電力時間内に深夜電力を用いてヒータの通電により蓄熱ブロックを加熱し、この蓄熱ブロックの蓄熱量を消費することで暖房する蓄熱暖房機であって、深夜電力時間外に、通常電力を用いて蓄熱ブロックを加熱する蓄熱増し機能を有し、蓄熱増し機能は蓄熱増し機能を開始するための操作部とヒータへの通電を制御する制御部とが備えられ、操作部のオン操作によりヒータが通電され蓄熱ブロックの加熱が開始されて蓄熱量が上昇し、かつファンによる強制放熱もしくは自然放熱によって暖房が行われ、開始から所定時間の経過後の自動解除または上記所定時間の経過前の操作部のオフ操作であることが判断されるとヒータへの通電が停止され蓄熱ブロックの加熱が停止する２通りの停止手段を備えたことを特徴とする蓄熱暖房器。
　
【相違点】
ａ．本件発明１は、暖房に必要とされる蓄熱量が不足した場合に、蓄熱増し機能を開始するのに対し、甲第１号証記載の発明は、蓄熱量が「小」以下（蓄熱量表示ランプ消灯）になった場合に、蓄熱増し機能を開始する点。
　
ｂ．本件発明１は、蓄熱増し機能を開始した時刻が制御部で計測され、深夜電力時間外であることが判断されるとヒータが通電され蓄熱ブロックの加熱が開始されるのに対し、甲第１号証記載の発明は、そのようになっていない点。
　
（４）相違点の検討
　
　上記各相違点について検討する。
　
相違点ａについて：
　甲第１号証記載の「蓄熱量が「小」以下（蓄熱量表示ランプ消灯）になった場合」とは、上記イ）の記載もあわせてみれば、蓄熱量表示ランプが消灯した場合を意味するものであるから、被請求人が平成１６年１２月７日付け特許異議意見書６頁７〜８行で主張するように、「正確には「小」を含まない「小」未満を意味しており、実際には使用できない蓄熱量が残っているだけの状態を示している。」と認定できる。
　しかし、そうであったとしても、文言上、本件請求項１記載の「暖房に必要とされる蓄熱量が不足した場合」とは、まさに、被請求人が主張する上記のような状態、即ち、「実際には使用できない蓄熱量が残っているだけの状態」のことを意味するものと認められ、それ以外の構成を意図しているものとは認められない。
　この点、被請求人は、被請求人が平成１６年１２月７日付け特許異議意見書６頁１３〜２２行で、「このような引用例１（審決注：甲第１号証）記載の蓄熱暖房器では、蓄熱量がゼロとなり暖房能力を失ったときに初めて蓄熱増し機能（追い焚き機能）を作動させ得るため、例えば蓄熱量がゼロになる前に使用者が寒さを感じて暖房を必要としても、蓄熱量が残存しているために暖房を行うことができないという不都合が生じる。また、蓄熱量をゼロになるのを待って蓄熱増し機能（追い焚き機能）を開始させたとしても、開始した当初は蓄熱量がゼロであるため暖房能力を得ることができない。したがって、引用例１（審決注：甲第１号証）記載の蓄熱暖房器では、暖房が途切れる心配がなく蓄熱暖房を維持することができるという本件特許発明１（審決注：本件発明１）に特有の効果を奏し得ず、このような引用例１（審決注：甲第１号証）の記載に基づいて本件特許発明１（審決注：本件発明１）の構成は想到性困難であるものと思料する。」と主張するが、本件特許請求の範囲請求項１に、そのような作用効果上の相違を見い出し得るような記載がなされているとすることはできない。
  したがって、特許異議意見書の記載を参酌しても、相違点ａに係る相違を実質的な相違とすることはできない。
　
相違点ｂについて：
　上記ウ）で摘示したように、甲第１号証には、「ご使用いただける時間帯は朝７時から深夜１１までの深夜電力時間帯以外の１６時間です。」との記載があり、当該記載からすれば、甲第１号証記載のものにも、その操作をどのようにするかの記載はないものの、蓄熱増しのための追い焚きは深夜電力時間外に行うことの示唆はある。
 そして、限られた時間での利用を意図した機器において、適宜タイマー等を用いて、当該限られた時間内である場合にのみ、当該機器の利用を可能にするような制御は、周知慣用される制御手法にすぎないから、甲第１号証記載の上記示唆に基づいて実機を実現するに際して、当該周知慣用されるタイマー手段を用いて本件発明１の相違点ｂに係る構成のごとくすることは、当業者であれば容易になし得ることである。
　
（５）小括
　
　以上のとおりであるから、本件特許請求の範囲請求項１記載の発明（本件発明１）は、甲第１号証に記載された発明に基づいて当業者が容易に発明できたものであり、特許法第２９条第２項の規定に違反して特許されたものである。
　
４．本件発明２についての検討
　
（１）甲第２号証に記載された事項
　
 　甲第２号証は、本件発明の出願前に国内において頒布された、蓄熱暖房器の発明に関する公開特許公報であって、その発明の詳細な説明には次の記載がある。
　
エ）「この発明に係る蓄熱暖房器は、熱を蓄える蓄熱ブロックと、この蓄熱ブロックを深夜電力を用いて加熱するヒータと、上記蓄熱ブロックに通風して温風を室内へ送るファンと、上記蓄熱ブロックの温度を測定する温度測定手段と、時刻を測定する時計手段と、時刻に対して直線状に蓄熱ブロックが昇温して深夜電力の終了時刻近傍で最高となる昇温パターンを予め記憶した昇温パターン記憶手段と、上記蓄熱ブロックの時刻ごとの温度が上記昇温パターンの温度よりも低くなると上記ヒータをオンにする通電手段とを備えたものである。
　ここで、深夜電力とは、時間帯別電灯料金制度における夜間電力も含むものである。」（段落【０００６】）
　
オ）「図４はこの発明に係る蓄熱暖房器の一実施例の動作を示すフローチャートである。図５はこの発明に係る蓄熱暖房器の一実施例の時刻に対する蓄熱量を示したグラフである。以下、図１乃至図５を用いて詳細に説明する。
　昇温パターン記憶手段２２としてのＲＯＭ４４又はＲＡＭ４６には、時刻ｔに対して直線状に昇温して深夜電力の終了時刻近傍で最高となる昇温パターンが記憶されている。昇温パターンは、図５において二点鎖線Ｄ及びその延長の実線Ｅ２として示されている。深夜電力の開始時刻になる〔ステップ１０１〕と、時刻ｔにおける昇温パターンの温度Ｐ（ｔ）が昇温パターン記憶手段２２から読み込まれる〔ステップ１０２〕とともに、時刻ｔにおける蓄熱ブロック１２の温度Ｍ（ｔ）が温度測定手段１８によって測定される〔ステップ１０３〕。
　続いて、温度Ｐ（ｔ）と温度Ｍ（ｔ）とが比較され〔ステップ１０４〕、Ｐ（ｔ）＜Ｍ（ｔ）であればステップ１０２へ戻る。蓄熱ブロック１２は実線Ｅ１に示すように時刻ｔとともに降温するが、昇温パターンは二点鎖線Ｄに示すように時刻ｔとともに昇温する。そして逐にＰ（ｔ）＞Ｍ（ｔ）になると、通電手段２４がヒータ１４をオンにする〔ステップ１０５〕。
　詳しく説明すると、ＣＰＵ４２によりＰ（ｔ）＞Ｍ（ｔ）が判断されると、出力インタフェース５０からトランジスタＴｒ１へオン信号が出力され、トランジスタＴｒ１がオンとなる。すると、リレーＲＹ１が駆動して常開接点ＲＹ１ａが閉となり、ヒータ１４が通電されて蓄熱ブロック１２を加熱し始める。
　こうして、蓄熱ブロック１２の温度Ｍ（ｔ）が実線Ｅ２の昇温パターンに沿って昇温して深夜電力の終了時刻近傍で最高となる。深夜電力の終了時刻になる〔ステップ１０６〕と、通電手段２４がヒータ１４をオフにする〔ステップ１０７〕。蓄熱ブロック１２の自然放熱量は、温度Ｍ（ｔ）と室温との差を時間ｔで積分した量にほぼ比例することから、温度Ｍ（ｔ）が実線Ｅ２の昇温パターンに沿って昇温するとき最も少なくなる。
　その後、操作スイッチＳＷ２を押すことにより、トランジスタＴｒ１がオンとなってリレーＲＹ２が駆動して常開接点ＲＹ２ａが閉となり、ファン１６が作動する。こうして、ファン１６で蓄熱ブロック１２を強制放熱させることにより温風を発生させる。」（段落【００１６】〜【００２１】）
　
（２）甲第２号証記載の発明
　
  上記エ）及びオ）の記載並びに図４及び５の記載を参酌すれば、甲第２号証には、次の発明が記載されている。
　
「深夜電力時間内に深夜電力を用いてヒータの通電により蓄熱ブロックを加熱し、この蓄熱ブロックの蓄熱量を消費することで暖房する蓄熱暖房器であって、深夜電力終了時間に蓄熱される蓄熱量は、時刻ｔに対して昇温し深夜電力終了時間近傍で上限値となる昇温パターンが設定され、時刻ｔにおける昇温パターンの温度Ｐ（ｔ）と時刻ｔにおける蓄熱ブロックの温度Ｍ（ｔ）とを比較し、Ｐ（ｔ）≧Ｍ（ｔ）でヒータを通電させ、選択されて昇温パターンに沿って昇温することを特徴とする蓄熱暖房器。」
　
（３）一致点・相違点
　
　本件発明２と甲第２号証記載の発明を対比すると、次の一致点及び相違点を有する。
　
【一致点】　
  深夜電力時間内に深夜電力を用いてヒータの通電により蓄熱ブロックを加熱し、この蓄熱ブロックの蓄熱量を消費することで暖房する蓄熱暖房器であって、深夜電力終了時間に蓄熱される蓄熱量は、時刻ｔに対して昇温し深夜電力終了時間近傍で上限値となる昇温パターンが設定され、時刻ｔにおける昇温パターンの温度Ｐ（ｔ）と時刻ｔにおける蓄熱ブロックの温度Ｍ（ｔ）とを比較し、Ｐ（ｔ）≧Ｍ（ｔ）でヒータを通電させ、昇温パターンに沿って昇温することを特徴とする蓄熱暖房器。
　
【相違点】
　本件発明２は、深夜電力開始時間以降の相異なる時刻から始まり時刻ｔに対して昇温し深夜電力終了時間近傍で上限値となる複数の昇温パターンが段階的に設定され、複数の昇温パターンから希望する昇温パターンが選択されると、選択された昇温パターンに沿って昇温するようになっているのに対し、甲第２号証記載の発明は、そのような複数の昇温パターンから希望する昇温パターンを選択して、昇温するようになっていない点。
　
（４）相違点の検討
　
　上記相違点について検討すると、上記イ）で摘示したように甲第１号証には、蓄熱量を「大」「中」「小」とセットすることが記載されているから、蓄熱量を複数設定する点についての開示はあるとはいえ、蓄熱量を具体的にどのようにして複数設定するのかについての記載はない。
　そうすると、甲第１号証記載の蓄熱量を複数設定する点を、甲第２号証記載の発明に適用しても、本件発明２の上記相違点に係る、「深夜電力開始時間以降の相異なる時刻から始まり時刻ｔに対して昇温し深夜電力終了時間近傍で上限値となる複数の昇温パターンが段階的に設定され、複数の昇温パターンから希望する昇温パターンが選択される」という具体的構成まで容易に導き出すことができたとすることはできない。
　そして、本件発明２は当該構成を採用することにより、段落【００４０】に記載された、「時刻ｔ１−ｔ３間の深夜電力の消費が不要となり、電力コストを削減することができる。」という効果を奏するのであるが、単に蓄熱量を複数設定するのみでは、当該効果は必ずしも生じ得ない。
　
（５）小括
　
　以上のとおりであるから、本件特許請求の範囲請求項２記載の発明（本件発明２）は、甲第１号証及び甲第２号証に記載された発明に基づいて当業者が容易に発明できたものではなく、特許法第２９条第２項の規定に違反して特許されたものではない。
　
５．むすび
　
　以上説示のとおりであるから、本件特許請求の範囲請求項１に係る特許は、特許法第１１３条第２号の規定により取り消されるべきものである。
　一方、本件特許請求の範囲請求項２に係る特許は、特許異議申し立ての理由及び証拠によっては取り消すことができない。
　また、他に当該特許請求の範囲請求項２に係る特許を取り消すべき理由を発見しない。
  よって、結論のとおり審決する。
【異議決定日】
平成１７年２月１４日（２００５．２．１４）
【訂正の要旨】
審決（決定）の【理由】欄参照。
（５４）【発明の名称】
蓄熱暖房器
（５７）【特許請求の範囲】
　【請求項１】　深夜電力時間内に深夜電力を用いてヒータの通電により蓄熱ブロックを加熱し、この蓄熱ブロックの蓄熱量を消費することで暖房する蓄熱暖房器であって、深夜電力時間外で
暖房に必要とされる蓄熱量が不足した
暖房に必要とされる蓄熱量が不足した
て蓄熱量が上昇し、かつファンによる強制放熱もしくは自然放熱によって暖房が行われ
　【請求項２】　深夜電力時間内に深夜電力を用いてヒータの通電により蓄熱ブロックを加熱し、この蓄熱ブロックの蓄熱量を消費することで暖房する蓄熱暖房器であって、深夜電力終了時間に蓄熱される蓄熱量は、
深夜電力開始時間以降の相異なる時刻から始まり
【発明の詳細な説明】
　【０００１】
　【発明の属する技術分野】
　本発明は、深夜電力を利用した蓄熱暖房器に関する。
　【０００２】
　【従来の技術】
　昼間と夜間の電力負荷率のアンバランスを解消する意図から、各電力会社では深夜電力時間帯を設けて、電力単価を割安に設定するサービスを行っている。そこで、この深夜電力を利用して蓄熱ブロックに熱を蓄え、昼間に蓄熱ブロックを熱源として暖房をとることが従来行われている。なお、ここで言う深夜電力時間帯としては、以降の説明で午後１１時から午前７時の時間帯として説明するが、電力会社によって設定時間が異なる場合があるため、この時間帯だけに限定されるものではない。
　【０００３】
　従来この種の蓄熱暖房器は、熱を蓄える蓄熱ブロックと、この蓄熱ブロックを加熱するヒータと、蓄熱ブロックに通風して温風を室内へ送るファンと、蓄熱ブロックの温度が上限を越えるとヒータをオフする制御部とを備えたものであった。そして、深夜電力時間になるとヒータをオンして蓄熱ブロックに熱を蓄え、昼間等の使用時には、蓄熱ブロックから自然放熱させたり、あるいはファンを動作させて蓄熱ブロックに通風し温風を発生させたりして、暖房として使用されていた。
　【０００４】
　上述したような蓄熱暖房器では、例えば図９に示すような特性を有している。深夜電力を用いて蓄熱ブロックに蓄熱された蓄熱量は、暖房の熱源として使用されることで蓄熱量が徐々に消費されるため、例えばＡ線（実線）で示されるようなカーブを描いて減少し、蓄熱量が残った状態で深夜電力の開始時間（午後１１時）を迎える。蓄熱暖房器には、あらかじめ深夜電力の終了時間（午前７時）近傍で蓄熱量が１００％となるよう設定されたＥ線（点線）の昇温パターンが記憶されている。そのため、Ａ線とＥ線が交差するＰ点の時刻、すなわち蓄熱量の残量に応じて決定される時刻ｔになると、ヒータへの通電が開始され、Ｅ線の昇温パターンに沿うように通電制御が行われて蓄熱量が増加する。この通電制御により電力の無駄を抑えた効率の良い蓄熱が行われていた。
　【０００５】
　【発明が解決しようとする課題】
　しかし、気温との差が大き過ぎる等の要因で蓄熱量の消費が激しい場合には、例えばＢ線（一点鎖線）のようなカーブを描いて午後１１時以前に下限値（暖房が可能な蓄熱量）を下回る事態が発生することがあった。しかし従来の蓄熱暖房器では、割安な深夜電力のみを利用して蓄熱するように構成されているため、このような場合には、蓄熱暖房器による暖房が使用できなくなるＣ部の時間帯が生じてしまうことになり、十分な暖房効果を得ることができないという課題があった。
　【０００６】
　このような問題を回避するために、通常は万が一蓄熱量が不足する場合に備えて、一般に必要熱量に２０〜４０％余裕を見込んで暖房設計されていた。しかしこの方法は、実際に使用したい空間に適した熱容量の蓄熱暖房器より、安全を見込んで１ランク大型の蓄熱暖房器を使用することになるため、使用者にとっては蓄熱暖房器購入時のコスト的な負担が増大するという課題を生じていた。
　【０００７】
　また、春先などの比較的気温が高い時期には、蓄熱ブロックの温度と気温との差が小さいため、蓄熱量の消費が少なく、例えばＤ線（二点鎖線）のようなカーブを描くことがある。この場合、深夜電力時間帯終了時に、毎朝１００％蓄熱ブロックが蓄熱されていても、蓄熱量の消費が少なく十分に活用されないため、蓄熱に使用された電力が無駄となってしまうという課題を生じていた。
　【０００８】
　このような従来の課題を考慮して、本発明は、省電力化、低コスト化を図りながら、深夜電力時間外に蓄熱ブロックの蓄熱量が不足した場合でも暖房として使用することができ、また蓄熱された蓄熱量を無駄なく十分に活用することのできる蓄熱暖房器を提供することを目的とするものである。
　【０００９】
　【課題を解決するための手段】
　前記課題を解決するために、本発明の蓄熱暖房器は、次のような手段を採用する。
　【００１０】
　すなわち、請求項１では、深夜電力時間内に深夜電力を用いてヒータの通電により蓄熱ブロックを加熱し、この蓄熱ブロックの蓄熱量を消費することで暖房する蓄熱暖房器であって、深夜電力時間外で
暖房に必要とされる蓄熱量が不足した
暖房に必要とされる蓄熱量が不足した
て蓄熱量が上昇し、かつファンによる強制放熱もしくは自然放熱によって暖房が行われ
　【００１１】
　この手段では、深夜電力時間外に蓄熱量が暖房可能な最低限の蓄熱量を下回って暖房できなくなった場合に、蓄熱増し機能によって、あえて深夜電力ではない通常電力を使用し、蓄熱ブロックを加熱して蓄熱量を増加させることで、暖房効果が維持される。また、蓄熱増し機能は、割高な通常電力を使用することになるため、使用者の意志で操作部をオン操作することにより蓄熱増し機能を開始した時刻が計測され、深夜電力時間外であることが判断されてはじめて蓄熱増し機能を開始した時刻が計測され、深夜電力時間外であることが判断されて蓄熱ブロックの加熱が開始されるよう構成される。また、所定時間経過後に蓄熱増し機能が自動で解除されるため、解除し忘れて割高な電力が無駄に使用されることが防止される。さらに、上記した自動解除前であっても操作部により蓄熱増し機能の解除が確実に行われる。
　【００１２】
　また、請求項２では、深夜電力時間内に深夜電力を用いてヒータの通電により蓄熱ブロックを加熱し、この蓄熱ブロックの蓄熱量を消費することで暖房する蓄熱暖房器であって、深夜電力終了時間に蓄熱される蓄熱量は、
深夜電力開始時間以降の相異なる時刻から始まり
　【００１３】
　この手段では、深夜電力終了時に蓄熱ブロックが１００％蓄熱されても、蓄熱量が十分に消費されない場合には、蓄熱量の上限値を低めに調整して蓄熱が行われる。これにより深夜電力により蓄熱された蓄熱量が活用される。また、あらかじめ段階的に設定された上限値の中から選択するだけで蓄熱量の調整がなされるため、使用者の操作性が向上される。さらに、深夜電力の消費が低減され、電力コストが削減される。なお、ここで言う上限値とは、午前７時の深夜電力終了時間近傍に通電制御によって到達される蓄熱量の値を意味しており、蓄熱ブロックに蓄熱可能な最大の蓄熱量を１００％とし、０−１００％の間の値で決められる値である。
　【００１４】
　以下、本発明の基本的な実施の形態について、図面に基づいて説明する。図１は実施の形態（１）を示すブロック図、図２は実施の形態（１）の機能を示す説明図、図３は実施の形態（１）の動作を示すフローチャート、図４は実施の形態（１）の蓄熱暖房器の一例を示す断面図、図５は実施の形態（１）の回路構成の一例を示す回路図である。
　【００１５】
　実施の形態（１）の蓄熱暖房器１０は、深夜電力時間内に深夜電力を用いて蓄熱ブロック１２を加熱し、この蓄熱ブロック１２の蓄熱量を消費することで暖房する蓄熱暖房器であって、深夜電力時間外で蓄熱量が暖房可能な最低限の蓄熱量を下回った場合に、通常電力を用いて蓄熱ブロック１２を加熱する蓄熱増し機能を有している。
　【００１６】
　この蓄熱暖房器１０の基本的な構成としては、従来の蓄熱暖房器と同様で、熱を蓄えて蓄熱する蓄熱ブロック１２と、この蓄熱ブロック１２を加熱するヒータ１４、蓄熱ブロック１２に通風して温風を室内へ送るファン１６と、ヒータ１４への通電を制御する制御部２１とが設けられている。そして、制御部２１には、時間に応じて昇温し深夜電力の終了時間近傍で所定の蓄熱量となる蓄熱ブロック１２の昇温パターンをあらかじめ記憶している昇温パターン記憶部２２と、時間情報を出力する時計部２３と、ヒータへの通電の制御を行う通電制御部２４と、蓄熱ブロック１２の温度を測定する温度測定部２５とが具備されている。
　【００１７】
　そして上述した基本的な構成に加えて、実施の形態（１）の蓄熱暖房器１０では、蓄熱増し機能として、蓄熱増し機能のオンオフの操作を行うための蓄熱増し操作部１１と、制御部２１に設けられ、蓄熱増し操作部１１の操作によってヒータ１４への通電をオンオフする蓄熱増し制御部２６とが具備されている。この蓄熱増し機能は、深夜電力時間外（午前７時から午後１１時）に暖房に必要とされる蓄熱量が不足した場合に、通常電力を使用することによってヒータ１４への通電を行い、蓄熱ブロック１２を加熱して蓄熱量を増加させようとするものである。
　【００１８】
　蓄熱増し機能は、蓄熱量が暖房可能な最低限の蓄熱量を下回った時点で、自動的に開始されるよう構成してもよいが、上述の午前７時から午後１１時までの時間帯は、通常電力として割高な電気料金が設定されている時間帯であるため、使用者の意志によって、蓄熱増し機能の開始が決定されることが好ましい。そのため、人為的な操作を行うための蓄熱増し操作部１１が設けられている。さらに、この蓄熱増し操作部１１のオンオフ操作としては、トグル式のスイッチが好適であり、１回目に押す動作で蓄熱増し機能が開始され、２回目に押す動作で解除するよう構成することで、開始、解除が確実に行われる。
　【００１９】
　また、畜熱増し制御部２６では、蓄熱増し操作部１１がオン操作されると、時計部２３から時間情報が入力される。そして、深夜電力時間外であることが判断されてから、ヒータ１４への通電を開始する。また、蓄熱増し操作部１１では、タイマー機能が設けられており、蓄熱増し操作部１１が操作された時刻から所定時間、例えば３時間が経過すると、ヒータ１４への通電を停止する。これにより、蓄熱増し機能の切り忘れを生じて、割高な料金の電力を無駄に消費することが防止される。もちろん、所定時間経過前に、蓄熱増し操作部１１がオフ操作されると、使用者の意志によりヒータ１４への通電を停止することもできる。また、蓄熱増し機能がオン操作されたとき、実際の蓄熱量を確認してからヒータ１４が通電されるように構成し、蓄熱増し機能の誤操作を防止しても良い。
　【００２０】
　上述の蓄熱増し機能を有する蓄熱暖房器１０の動作について図２及び図３を用いて説明する。深夜電力時間外では、通常は、午前７時に１００％蓄熱された蓄熱ブロック１２が自然放熱あるいはファン１６を用いた強制放熱が行われることによって蓄熱量は徐々に低下する。この低下のカーブが図２のＢ線（一点鎖線）のように急激な減少カーブを描き、暖房可能な最低限の蓄熱量を下回って暖房として使用できなくなった場合には、Ｐ１点において蓄熱増し操作部１１が操作されオンされる［ステップ１０１］。次いで、蓄熱増し操作部１１がオンされた時刻が時計部２３で計測され深夜電力時間外であることが判断されると［ステップ１０２］、ヒータ１４がオンされ蓄熱ブロック１２への通電が開始される［ステップ１０３］。これにより蓄熱量はＰ１点から上昇し、ファン１６による強制放熱もしくは自然放熱によって暖房が行われる。なお、上記Ｐ１点は暖房可能な最低限の蓄熱量を下回った後、使用者の意志によって時刻が決められる点である。
　【００２１】
　次に、所定時間が経過したか、もしくは蓄熱増し操作部が２回目に操作されたかどうかが判断される［ステップ１０５、１０６］。これらいずれかによりＰ２点において蓄熱増し機能が解除され、ヒータ１４がオフされる［ステップ１０７］。その後はＧ線に示すように、ファン１６による強制放熱もしくは自然放熱によって暖房が行われ、徐々に蓄熱量が消費される。
　【００２２】
　そして従来と同様に、深夜電力開始時間になると残っている蓄熱量に応じて昇温パターンの開始時間が判断され、Ｐ点から深夜電力終了時間近傍に向けて蓄熱量が１００％となるようヒータ１４への通電制御が行われる。
　【００２３】
　蓄熱暖房器１０の全体の構成の一例を図４に示す。蓄熱ブロック１２の側面、上面及び下面は、それぞれ断熱材３０、３２、３４よって覆われている。これら断熱材３０、３２、３４の外面は金属板からなるハウジング３５で覆われおり、蓄熱ブロック１２内にはヒータ１４が埋設されている。ハウジング３５の下方には吸気口３６と送風口３８とが設けられ、吸気口３６にはファン１６が設置されている。ファン１６によって吸気口３６から取り入れられた外気ＯＷは、蓄熱ブロック１２の外面を通過中に温風とされて送風口３８から吐き出されるようになっている。
　【００２４】
　次に、蓄熱暖房器１０の回路構成の一例を図５に示す。温度測定部２５、時計部２３、昇温パターン記憶部２２及び通電制御部２４は、プログラムされたマイクロコンピュータ４０によって構成されている。マイクロコンピュータ４０は、ＣＰＵ４２、ＲＯＭ４４、ＲＡＭ４６、入力インターフェース４８及び出力インターフェース５０等によって構成されている。
　【００２５】
　入力インターフェース４８には、サーミスタＴＨ、操作スイッチＳＷ１〜ＳＷｎ及び発振回路５２が接続されている。サーミスタＴＨは、温度の上昇とともに抵抗値が増加する正特性を有するものであり、蓄熱ブロック１２の外面に密着されるとともに、蓄熱ブロック１２の温度に対応する電圧降下を温度測定部２５へ出力する。発振回路５２は、水晶振動子を用いたもので、基準パルスを発振して時計部２０に出力する。
　【００２６】
　出力インターフェース５０には、リレー駆動用のトランジスタＴｒ１、Ｔｒ２が接続されている。蓄熱ブロック１２に埋設されているヒータ１４は、２００Ｖの交流電源５４にそれぞれ並列接続されている。ヒータ１４と交流電流５４との間には、リレーＲＹ１の常開接点ＲＹ１ａが介挿されている。ファン１６は１００Ｖの交流電源５６に接続されている。リレーＲＹ２の常開接点ＲＹ２ａが、ファン１６と交流電源５６との間に介挿されている。交流電源５６には交流を整流して直流電圧Ｖｄを得る直流電源５８が接続されている。なお、抵抗器Ｒ１、Ｒ２は電流制限用、抵抗器Ｒｔｈは分圧用である。
　【００２７】
　実施の形態（１）の蓄熱増し操作部１１としては、図５のＳＷの１つ、例えばＳＷ１が対応するように構成される。使用者がＳＷ１を押すことにより、出力インターフェース５０からトランジスタＴｒ１へオン信号が出力され、トランジスタＴｒ１がオンになる。そして、リレーＲＹ１が駆動して常開接点ＲＹ１ａが閉となり、ヒータ１４が通電されて蓄熱ブロック１２が加熱し始める。
　【００２８】
　そして、蓄熱増し操作部１１がもう一度押されるか、あるいは所定時間が経過した場合には、トランジスタＴｒ１がオフになり、リレーＲＹ１が開となって、ヒータ１４の通電が終了する。
　【００２９】
　このように、本発明の実施の形態（１）では、蓄熱増し機能を備えることにより、深夜電力時間外に蓄熱量が暖房可能な最低限の蓄熱量より低下して、暖房として使用できなくなった場合には、通常電力を使用してヒータを通電し暖房を行うことができ、暖房が途切れる不都合が解消できる。これにより、万が一の状態に備えて蓄熱ブロックの熱容量を必要以上に大きく設定する必要がなくなり、使用する空間にちょうど適した蓄熱暖房器を設置することができるため、購入時の使用者へのコスト的負担が軽減される。また、この蓄熱増し機能は、使用者の意志で操作されるため、割高の通常電力を使用してまで蓄熱する必要が無い場合には、使用しなくても良い。
　【００３０】
　なお、実施の形態（１）の蓄熱暖房器１０は、従量電灯と同じ幹線を使って、昼間電力（通常電力）を割高にする反面、夜間電力を深夜電力と同等に割安にする時間帯別電灯制度を利用する場合に適している。
　【００３１】
　次に、本発明の実施の形態（２）について図面に基づいて説明する。図６は実施の形態（２）を示すブロック図、図７は実施の形態（２）の機能を示す説明図、図８は実施の形態（２）の動作を示すフローチャートである。なお、実施の形態（２）は基本的な構成が実施の形態（１）と同じであるため、同様の説明には同一符号を付して詳細な説明を省略する。
　【００３２】
　実施の形態（２）の蓄熱暖房器１０ａは、深夜電力時間内に深夜電力を用いて蓄熱ブロックを加熱し、この蓄熱ブロックの蓄熱量を消費することで暖房する蓄熱暖房器であって、深夜電力終了時間に蓄熱される蓄熱量の上限値の設定が調整可能である。
　【００３３】
　実施の形態（２）では、蓄熱量の上限値を調整する方法として、あらかじめ蓄熱量の上限値が段階的に設定された複数の昇温パターンを用意しておいて、この中から希望する昇温パターンを選択することで蓄熱量の調整を行うように構成している。
　【００３４】
　実施の形態（２）の構成は、実施の形態（１）と同じ基本的な構成に加えて、希望の昇温パターンを選択するための操作を行う昇温パターン操作部１３と、制御部２１ａに設けられて前記複数の昇温パターンを記憶している昇温パターン記憶部２２ａとを具備している。
　【００３５】
　昇温パターンの例を図７に示す。実施の形態（２）では、
深夜電力開始時間以降の相異なる時刻から始まり
　【００３６】
　また、昇温パターン操作部１３では、「小」から「大」の間で４段階に蓄熱量を示す表示と、１つの操作ボタンを備えている。そして、選択の操作としては、操作ボタンを押す毎に、表示の変化に合わせて昇温パターンが順次切り替わり、好みの蓄熱量の表示を確認して設定を完了させる方法が用いられる。このように、４段階の中から選択するように操作することで使用者の利便性が向上されるとともに、１つのボタン操作で行うことで蓄熱量の設定と切換が確実に行われる。なお、この昇温パターン操作部１３の操作は一例でありこれに限定されるのものではない。例えば、蓄熱量の大小にそれぞれ操作ボタンを対応させたり、ダイヤル式のツマミで構成したり、また、必ずしも段階的に選択せずに無段階で上限値を調整できるように構成しても良い。
　【００３７】
　実施の形態（２）の回路構成を、実施の形態（１）の図５を用いて説明すると、昇温パターン操作部１３は、ＳＷｎの任意の位置に設定される。また、昇温パターン記憶部２２ａは、マイクロコンピュータ４０のＲＯＭ４４またはＲＡＭ４６に昇温パターンが記憶される。
　【００３８】
　この実施の形態（２）の蓄熱暖房器１０ａの動作について図７、図８を用いて説明する。まず、使用者が好みに応じて昇温パターンＥ１〜Ｅ４（点線）の中から希望する昇温パターンを選択し、昇温パターン操作部１３で設定が行われる［ステップ２０１］。ここで、例えば昇温パターンＥ３を選択する場合には、昇温パターン操作部１３でボタンを数回押して設定を行う。次に、深夜電力の時間の開始時刻になる［ステップ２０２］と、時刻ｔにおける昇温パターンＥ３の温度Ｐ（ｔ）が昇温パターン記憶部２２ａから読み込まれる［ステップ２０３］とともに、時刻ｔにおける蓄熱ブロック１２の温度Ｍ（ｔ）が温度測定部２５によって測定される［ステップ２０４］。
　【００３９】
　続いて、温度Ｐ（ｔ）と温度Ｍ（ｔ）とが比較され［ステップ２０５］、Ｐ（ｔ）＜Ｍ（ｔ）であればステップ２０３に戻る。蓄熱ブロック１２はＡ線（実線）に示すように時刻ｔとともに降温するが、昇温パターンはＥ３線に示すように時刻ｔとともに昇温する。そして、遂にＰ（ｔ）≧Ｍ（ｔ）になると、通電制御部２４がヒータ１４をオンする［ステップ２０６］。こうして蓄熱ブロック１２の温度Ｍ（ｔ）が昇温パターンＥ３に沿って昇温して深夜電力終了時刻近傍で、蓄熱量の６０％まで蓄熱される。深夜電力の終了時刻になる［ステップ２０７］と、通電制御部２４がヒータ１４をオフする［ステップ２０８］。
　【００４０】
　このように、午前７時での蓄熱量が６０％に設定された場合には、深夜電力時間帯で、ヒータ１４への通電が時刻ｔ３から開始される。蓄熱量１００％の昇温パターンＥ１に設定している場合では、同じＡ線に示す蓄熱ブロックの状態でも、時刻ｔ１から開始されるため、比較すると前者では時刻ｔ１−ｔ３間の深夜電力の消費が不要となり、電力コストを削減することができる。
　【００４１】
　以上本発明の蓄熱暖房器は、実施の形態として（１）（２）とに分けて説明してきたが、これらを組み合わせて１つの蓄熱暖房器とすることによって、相乗効果が発揮させることができる。これにより、気温や使用者の好みに合わせて、設定の選択肢が広がって、蓄熱量をコントロールすることができ、省電力化を達成することができる。
　【００４２】
　【発明の効果】
　詳述してきたように、請求項１の蓄熱暖房器では、深夜電力時間外で
暖房に必要とされる蓄熱量が不足した
蓄熱量が上昇し、かつファンによる強制放熱もしくは自然放熱によって暖房が行われ
　【００４３】
　また、請求項２の蓄熱暖房器は、深夜電力終了時間に蓄熱される蓄熱量が
、深夜電力時間以降の相異なる時刻から始まり
【図面の簡単な説明】
　【図１】実施の形態（１）を示すブロック図である。
　【図２】実施の形態（１）の機能を示す説明図である。
　【図３】実施の形態（１）の動作を示すフローチャートである。
　【図４】実施の形態（１）の蓄熱暖房器の一例を示す断面図である。
　【図５】実施の形態（１）の回路構成の一例を示す回路図である。
　【図６】実施の形態（２）を示すブロック図である。
　【図７】実施の形態（２）の機能を示す説明図である。
　【図８】実施の形態（２）の動作を示すフローチャートである。
　【図９】従来の機能を示す説明図である。
　【符号の説明】
　１０　　蓄熱暖房器
　１１　　蓄熱増し操作部
　１２　　蓄熱ブロック
　１３　　昇温パターン操作部
　１４　　ヒータ
　１６　　ファン
　２１　　制御部
　２２　　昇温パターン記憶部
　２３　　時計部
　２４　　通電制御部
　２５　　温度測定部
　２６　　蓄熱増し制御部